(57)【要約】  湿し水タンク内の湿し水の濃度を容易に変更でき、かつ部分的な濃度ムラの無い、より濃度が安定した湿し水を印刷機に供給することを目的とし、水制御ユニット９から供給される水及び原液制御ユニット１１から供給される原液を混合ユニット１９で混合して湿し水タンク４へ供給する。水位制御ユニット１８は水位センサ１５の出力に基づいて湿し水の補充量の信号を混合制御ユニット１２に出力する。混合制御ユニットは補充量の信号が入力されると水制御ユニット及び原液制御ユニットを制御し、湿し水タンク内の湿し水の量を制御する。
2010021303.tif 000002
【特許請求の範囲】
【請求項１】
オフセット印刷機に水と原液を所定の濃度となるように混合して調製した湿し水を供給するための湿し水供給装置において、
調製した湿し水を収容する湿し水タンクと、
水を供給する給水源と、
原液を供給する給液源と、
前記給水源から供給される水の通過を開閉する水制御ユニットと、
前記給液源から供給される原液の流量を制御する原液制御ユニットと、
前記水制御ユニットから供給される水及び前記原液制御ユニットから供給される原液を混合して前記湿し水タンクへ供給する混合ユニットと、
前記水制御ユニット及び前記原液制御ユニットを制御する混合制御ユニットと、
前記湿し水タンクの湿し水の量を測定する水位センサと、
前記水位センサの出力に基づいて、前記混合制御ユニットを制御して、前記湿し水タンク内の湿し水の量を制御する水位制御ユニットと、
を備え、
前記水制御ユニットを通過する水の単位時間の通過量及び前記原液制御ユニットを通過する原液の単位時間の通過量の比が湿し水の所定の混合比となっており、
前記混合制御ユニットは、前記原液制御ユニットが原液を通過させている期間が、前記水の制御ユニットが水を通過させている期間に含まれるように前記原液制御ユニットおよび前記水の制御ユニットを制御することを特徴とする湿し水供給装置。
【請求項２】
前記混合制御ユニットは前記水制御ユニットを通過する水の流量を測定する流量センサを備えており、前記流量センサの出力に基づいて前記原液制御ユニットの流量を制御することにより、水の供給を開始する第１の時刻及び水の供給を停止する第２の時刻の間に原液の供給を開始する第３の時刻及び原液の供給を停止する第４の時刻が含まれることを特徴とする請求項１に記載の湿し水供給装置。
【請求項３】
前記給水源は前記混合ユニットに供給する水の量を、単位時間あたりの水量で制御する水量調整機能を備えており、水の供給を開始する第１の時刻及び水の供給を停止する第２の時刻の間に原液の供給を開始する第３の時刻及び原液の供給を停止する第４の時刻が含まれることを特徴とする請求項１に記載の湿し水供給装置。
【請求項４】
前記水制御ユニットは、水の通過を開閉する電磁バルブである請求項１に記載の湿し水供給装置。
【請求項５】
前記原液制御ユニットは、通過する原液の流量を制御可能な電動ポンプである請求項１に記載の湿し水供給装置。
【請求項６】
オフセット印刷機に水と原液を所定の濃度となるように混合して調製した湿し水を供給するための湿し水供給装置において、
調製した湿し水を収容する湿し水タンクと、
水を供給する給水源と、
原液を供給する給液源と、
前記給水源から供給される水を通過させ、その通過量を制御する水制御ユニットと、
前記給液源から供給される原液を通過させ、その通過量を制御する原液制御ユニットと、
前記水制御ユニットから供給される水及び前記原液制御ユニットから供給される原液を混合して前記湿し水タンクへ供給する混合ユニットと、
前記水制御ユニット及び前記原液制御ユニットを制御する混合制御ユニットと、
前記湿し水タンクの湿し水の量を測定する水位センサと、
前記水位センサの出力に基づいて、前記混合制御ユニットを制御して、前記湿し水タンク内の湿し水の量を制御する水位制御ユニットと、
を備え、
前記水制御ユニットを通過する水の単位時間の通過量及び前記原液制御ユニットを通過する原液の単位時間の通過量の比が湿し水の所定の混合比となっており、
前記混合制御ユニットは、前記原液制御ユニットが原液を通過させている期間が、前記水の制御ユニットが水を通過させている期間に含まれるように前記原液制御ユニットおよび前記水の制御ユニットを制御することを特徴とする湿し水供給装置。
【発明の詳細な説明】
【技術分野】
【０００１】
本発明は、オフセット印刷方式の印刷機で使用される湿し水供給装置に関し、特に湿し水の成分の濃度を制御した湿し水供給装置に関する。
【背景技術】
【０００２】
オフセット印刷において、湿し水は、印刷を行うのに必要不可欠な構成要素である。オフセット印刷機は、印刷に必要な湿し水を扱うための湿し水装置を標準的に備えている。
印刷機で使用する湿し水は、水道水または工業用水のような清浄な水にいろいろな添加剤を加えたものである。湿し水の添加剤は、専門の業者から濃縮された原液として供給される。この原液は、エッチング液とかＨ液という名称で呼ばれる。
湿し水は、この原液を水で２０倍から５００倍程度に希釈して調製する。印刷機の湿し水装置は、自動的に原液と水から湿し水の調製を行い、調製した湿し水を印刷機に向けて供給する。オフセット印刷において、湿し水の管理は、印刷品質を高い水準に維持するために極めて重要である。印刷工場は、湿し水について自社の基準を定め、濃度、温度及びその他を管理する。【０００３】
一方、最近は、産業分野において、環境を保護する目的で、アルコールなどの揮発成分を少なくするか、使わない工夫がなされている。湿し水の添加物もアルコールの代替品を使用するか、あるいは使用量を制限している。揮発成分の使用を制限した湿し水は、濃度管理を正確に行う必要があり、湿し水装置には、従来に比べて、湿し水の濃度の制御をより正確に行うことが要求されている。【０００４】
特許文献１には、典型的な湿し水供給装置の構成が示されている。この湿し水供給装置は、印刷機に正確に濃度が制御された湿し水を調製するために、２つのタンクを備えている。１つは供給タンクであり、他の一つは混合タンクである。混合タンクは、原液（アルコール）と水を混合する専用のタンクである。混合タンクは、混合タンク内の湿し水の濃度を測定する機能を備えており、原液と水を所定の濃度になるように混合する。供給タンクは、混合タンクから湿し水を受け取り、印刷機に向けて供給する。【０００５】
特許文献１に記載された装置では、印刷機に供給する湿し水の濃度を短時間で正確に制御するのには向かない。その理由として、まず混合タンクで濃度を制御し、次に供給タンクにそれを蓄積するという２段階を必要とする構造であるからである。印刷機に供給する湿し水の濃度を変更する必要があっても、所定の濃度に到達するまで許容できないほどの時間遅れが生じる。【０００６】
特許文献２には、混合タンクを用いないで、供給タンクで直接湿し水を混合する構成が示されている。文献２に記載された装置は、供給タンクに原液と水を同時に供給する。そのことによって、供給タンク内の湿し水の濃度は、混合の途中であっても、極端に薄くなったり、極端に濃くなったりはしない。ところが、供給タンク内の位置によって濃度にムラができることがある。すなわち、供給タンクに注入される原液と水は直ちに混合されるとは限らず、かつ供給タンク全体が常に均一な濃度であることは保障されない。この原因は、供給タンクに、水を補充するための専用のパイプと、原液を補充するための専用のパイプを使用するためである。
【先行技術文献】
【特許文献】
【０００７】
【特許文献１】実開昭６３−６８４３
【特許文献２】実用新案登録２５０４５９６
【発明の概要】
【発明が解決しようとする課題】
【０００８】
本発明の目的は、湿し水タンク内の湿し水の濃度を容易に変更でき、かつ部分的な濃度ムラの無い、より濃度が安定した湿し水を印刷機に供給する湿し水供給装置を提供することである。
【課題を解決するための手段】
【０００９】
上記の目的を達成するため、請求項１の発明はオフセット印刷機に水と原液を所定の濃度となるように混合して調製した湿し水を供給するための湿し水供給装置において、調製した湿し水を収容する湿し水タンクと、水を供給する給水源と、原液を供給する給液源と、前記給水源から供給される水の通過を開閉する水制御ユニットと、前記給液源から供給される原液の通過を開閉する原液制御ユニットと、前記水制御ユニットから供給される水及び前記原液制御ユニットから供給される原液を混合して前記湿し水タンクへ供給する混合ユニットと、前記水制御ユニット及び前記原液制御ユニットを制御する混合制御ユニットと、前記湿し水タンクの湿し水の量を測定する水位センサと、前記水位センサの出力に基づいて、前記混合制御ユニットを制御して、前記湿し水タンク内の湿し水の量を制御する水位制御ユニットと、を備え、
前記水制御ユニットを通過する水の単位時間の通過量及び前記原液制御ユニットを通過する原液の単位時間の通過量の比が湿し水の所定の混合比となっており、前記混合制御ユニットは、前記原液制御ユニットが原液を通過させている期間が、前記水の制御ユニットが水を通過させている期間に含まれるように前記原液制御ユニットおよび前記水の制御ユニットを制御することを特徴とする湿し水供給装置とした。【００１０】
請求項２の発明は、前記混合制御ユニットは前記水制御ユニットを通過する水の流量を測定する流量センサを備えており、前記流量センサの出力に基づいて前記原液制御ユニットの流量を制御することにより、水の供給を開始する第１の時刻及び水の供給を停止する第２の時刻の間に原液の供給を開始する第３の時刻及び原液の供給を停止する第４の時刻が含まれることを特徴とする湿し水供給装置とした。【００１１】
請求項３の発明は、給水源は混合ユニットに供給する水の量を、単位時間あたりの水量で制御する水量調整機能を備えており、水の供給を開始する第１の時刻及び水の供給を停止する第２の時刻の間に原液の供給を開始する第３の時刻及び原液の供給を停止する第４の時刻が含まれることを特徴とする湿し水供給装置とした。【００１２】
請求項４の発明は、前記水制御ユニットは、水の通過を開閉する電磁バルブである湿し水供給装置とした。【００１３】
請求項５の発明は、前記原液制御ユニットは、通過する原液の流量を制御可能な電動ポンプである湿し水供給装置とした。
【発明の効果】
【００１４】
本発明によれば、水と原液は湿し水タンクに注入される前に、混合ユニットによって混合されるため、湿し水タンクの中での湿し水の濃度ムラは最小に抑えられる。混合された湿し水は、直ちに湿し水タンクに到達する。従って、従来のように混合専用の予備混合タンクを使用する場合に比べて、時間遅れがないため、湿し水の濃度を変更する場合でも滑らかな濃度変化で変更できる。【００１５】
即ち、本発明によれば、湿し水タンクの湿し水の濃度をなめらかに、かつ迅速に変更することができる。湿し水タンクに供給される湿し水は、混合制御ユニットによって、事前に所定の濃度に混合されているから、湿し水タンク内で濃度のムラが生じることがない。【００１６】
また、本発明によれば、混合ユニットに水が供給されている期間に、混合ユニットに原液が供給される期間が含まれるようにした。従って、湿し水の急激な濃度変化が起きないようにすることができる。【００１７】
更に、請求項３の発明によれば、混合ユニットに供給される水の量が、水制御ユニットの開閉時間だけで調整できるため、流量センサが不要になる。
【図面の簡単な説明】
【００１８】
【図１】本発明に係る湿し水供給装置の実施形態の構成図である。
【図２】湿し水供給装置の動作説明図である。
【図３】他の実施形態の湿し水供給装置の動作説明図である。
【発明を実施するための最良の形態】
【００１９】
本発明の実施形態を、図面を参照しながら説明する。
【実施例１】
【００２０】
図１は本発明に係る湿し水供給装置の実施形態の構成を示したものである。
湿し水タンク１は湿し水２を収容し、ポンプ３によって印刷機の水皿（図示省略）に供給する。ポンプ３は吸い込み口４から湿し水２を吸い込み、水皿に送り出す。水皿からの戻り水は戻り水パイプ５を通して湿し水タンク１へ入る。【００２１】
ポンプ３を含め、図１に示した湿し水供給装置全体は図示しない印刷機本機の制御下にある。ここで、湿し水の温度調整や不純物のろ過機能を実現する装置が選択的に備えられる。【００２２】
給水源６は通常水道水を供給する。給液源７はＨ液の原液を供給する。Ｈ液の原液は、例えばミラクル工業株式会社から、エデーＨ（商品名）として市販されている。組成は、その製品安全データシートによればクエン酸、水、グリコール系溶剤などである。給水源６から供給される水と給液源７から供給される原液は混合ユニット１９で混合し濃度調節された後、混合液送りパイプ１４を通して湿し水タンク１に送られる。給水源６と混合ユニット１９を接続する給水ライン８には水の流量を検出する流量センサ２０および水の供給量を制御する水制御ユニット９が設けられている。給液源７と混合ユニット１９を接続する給液ライン１０には原液の供給量を制御する原液制御ユニット１１が設けられている。【００２３】
混合ユニット１９は螺旋フィンで構成されており、水と原液が合わさってフィンに妨害されながら通過する間にフィンによる乱流によって２つの液体を泡の発生を抑制しながら混合する。【００２４】
水位センサ１５は湿し水タンク１内に垂直に固定されたシャフト１６に沿ってフロート１７を上下に移動可能に設けられており、このフロート１７の上下方向の位置は湿し水２の水位を示している。フロート１７は永久磁石が内蔵され、シャフト１６にはリードスイッチなどの複数の磁気センサが設けられている。シャフト１６に設けられた磁気センサが８個のリードスイッチの場合は７段階の水位を検出することができる。ただし、上端と下端の磁気センサは水位の限界検出用として割り当てることが多いので、通常使用するセンサは６個であり、５段階程度の範囲で使用する。水位制御手段１８は水位センサ１５の出力に基づいて、湿し水２の水位を制御する。水位制御手段１８はマイクロプロセッサで実現することができ、湿し水２の量が下限になったならば、混合制御ユニット１２に対して補充すべき湿し水２の量の値を出力する。混合制御ユニット１２は駆動回路を含む。【００２５】
水制御ユニット９、原液制御ユニット１１、混合ユニット１９及び混合制御ユニット１２が湿し水の混合を行う。混合制御ユニット１２が、水制御ユニット９を通過する水の量を知る２つの実施の態様について説明する。
第１の実施の態様は給水ライン８に配備した流量センサ２０によるものである。混合制御ユニット１２は流量センサ２０によって、現在の水制御ユニット９を通過している水の流量を知ることができる。給水源６からの水の供給能力に時間的な変動がある場合は、流量センサ２０と水制御ユニット９を組み合わせて、水制御ユニット９を通過する水の流量を正確に計測するのが有効である。水の流量が正確に検出できれば、水の流量が変動しても、その変動に合わせて原液の流量を制御することにより、湿し水の濃度を所定の濃度に維持することができる。【００２６】
第２の実施態様は給水源６が、予め設定された既知の正の水圧を提供できるようにすることである。この場合の水制御ユニット９は開いた状態と閉じた状態の２つの状態がある電磁バルブでよい。この場合は水制御ユニット９としての電磁バルブの開閉時間によって、混合ユニット１９に供給する水の量を完全に制御可能である。例えば、水制御ユニット９を通過する水量が、毎分５リットルであれば、４秒開くことにより２０リットルの水の供給が可能である。第２の実施の態様によれば、図1に示した流量センサ２０は不要であり、混合制御ユニット１２は水制御ユニット９と原液制御ユニット１１の作用時間を計測するタイマーのみで制御可能である。【００２７】
原液制御ユニット１１は給液源７から給液ライン１０を通り、混合ユニット１９に至る原液の単位時間当たりの供給量を制御する。給液源７が、所定の容器で提供される場合は、原液制御ユニット１１として電動ポンプが適している。電動ポンプは原液の供給源７に収容された原液の圧力や粘度などに影響されることなく、給液ライン１０を通過する原液の量を制御可能である。この種の電動ポンプは定量ポンプが適しており、ベローズポンプ、ダイヤフラムポンプあるいはチューブポンプなどがある。【００２８】
本実施形態の作用を説明する。図２は第1の実施の態様にかかる湿し水供給装置の動作説明図である。図２において、Ａは水位センサ１５のフロート１７の位置、Ｂは流量センサ２０で測定される水の流量、Ｃは水制御ユニット９の動作、Ｄは原液制御ユニット１１の動作、Ｅは給液ライン１０を流れる原液の流量、をそれぞれ示している。【００２９】
湿し水タンク１の湿し水２の補充が必要となったとき、水位制御ユニット１８には水位センサ１５のフロート１７の現在位置と、湿し水２の補充総量が設定される。補充総量は水と原液の総和である。補充総量が設定されると、混合制御ユニット１２は次の制御を実行する。【００３０】
予め設定された湿し水２の濃度から、給水源６から供給すべき水の量と、給液源７から供給すべき原液の量を決定する。続いて、水制御ユニット９は閉から開に制御して、給水源６から水の供給を第１の時刻Ｔ1に開始する。次に、原液制御ユニット１１は原液の供給を第３の時刻Ｔ３に開始する。ここで、Ｔ３はＴ１よりも後になるようにする。これは、湿し水２の濃度が急激に変化しないようにするためである。すなわち、湿し水２の濃度は通常５％程度であり、水と原液の容量比率は９５対５である。本来は、まず水だけが湿し水タンク１に流れ込むのは望ましくないが、原液のみが流れ込むよりも影響は少ない。このような理由から、混合ユニット１９から、水と混合する前の原液が湿し水タンク１に流れ込まないのであれば、Ｔ１とＴ３は可能な限り接近していることが望ましい。【００３１】
次に、湿し水の調製が終わるタイミングで、まず第４の時刻Ｔ４で原液制御ユニット１１を制御して原液の供給を停止し、その後、第２の時刻Ｔ２で水の供給を停止する。Ｔ４とＴ２の関係は、Ｔ１とＴ３の関係と同様に、混合ユニット１９から原液が水と混合されないで湿し水タンク１に入る量が少なくなる範囲で接近していることが望ましい。【００３２】
図２の例では、給水源６から供給される水の流量が、常に流量センサ２０で検出されるため、水の流量が時刻Ｔ５で変化しても、水の流量に追従させて時刻Ｔ５で原液の流量を制御する。そのことによって、混合ユニット１９から排出される湿し水は、濃度が変化しない。【００３３】
図３は、第２の実施の態様にかかる給水源６が、水の流量を調整する手段を備えている場合の例を示したものである。時刻Ｔ１から水の供給が開始され、時刻Ｔ２で水の供給が停止されるまでの間、水の流量は一定である。フロート１７の位置も直線的に上昇する。水の流量が既知であるから、流量センサ２０は不要である。【００３４】
図２および図３の例において、水位制御手段１８はトリガー回路からなり、時刻Ｔ１を決定し、混合制御ユニット１２はタイマーまたは演算回路を含み、時刻Ｔ２，Ｔ３，Ｔ４を計測または演算し、決定する。【００３５】
次に、湿し水２の濃度を変更する場合について説明する。
湿し水タンク１の湿し水の量は水位センサ１５で検出される。湿し水タンク１の外部には印刷機の湿し水系で使用中の外部湿し水が存在する。タンク外の湿し水の量は印刷工場に設置された印刷機ごとに異なる。これは配管の長さや、ろ過装置などのその性質上湿し水を蓄える付属設備が異なり、また印刷機の印刷状況によっても異なるためである。【００３６】
タンク外の湿し水の量は一覧表を作成することが可能である。その一覧表と湿し水タンク１内の湿し水の総和に対して湿し水の濃度変更を行う。仮に、湿し水の量が多すぎるときは余分な湿し水を予備のタンクに移し替えるか、あるいは廃棄して、湿し水タンク内の湿し水を補充可能な状態とする。そして、既存の湿し水に対して、所定の濃度となるように、図２に示した補充の操作と同様の操作を実行する。
【符号の説明】
【００３７】
１    湿し水タンク
２    湿し水
３    ポンプ
６    給水源
７    給液源
９    水制御ユニット
１１  原液制御ユニット
１２  混合制御ユニット
１５  水位センサ
１７  フロート
１８  水位制御ユニット
１９  混合ユニット
２０  流量センサ
【図１】
2010021303.tif 000003
【図２】
2010021303.tif 000004
【図３】
2010021303.tif 000005
【手続補正書】
【提出日】平成22年6月29日(2010.6.29)
【手続補正１】
【補正対象書類名】特許請求の範囲
【補正対象項目名】全文
【補正方法】変更
【補正の内容】
【特許請求の範囲】
【請求項１】
オフセット印刷機に水と原液を所定の濃度となるように混合して調製した湿し水を供給するための湿し水供給装置において、
調整した湿し水を収容する湿し水タンクと、
水を供給する給水源と、
原液を供給する給液源と、
前記給水源から供給される水の通過を開閉する水制御ユニットと、
前記給液源から供給される原液の流量を制御する原液制御ユニットと、
前記水制御ユニットから供給される水及び前記原液制御ユニットから供給される原液を混合して前記湿し水タンクへ供給する混合ユニットと、
前記水制御ユニット及び前記原液制御ユニットを制御する混合制御ユニットと、
前記湿し水タンクの湿し水の量を測定する水位センサと、
前記水位センサの出力に基づいて、前記混合制御ユニットを制御して、前記湿し水タンク内の湿し水の量を制御する水位制御ユニットと、を備え、
前記水制御ユニットを通過する水の単位時間の通過量及び前記原液制御ユニットを通過する原液の単位時間の通過量の比が湿し水の所定の混合比となっており、
前記混合制御ユニットは、前記湿し水タンクに前記湿し水を供給を開始する場合に、まず前記水制御ユニットを制御して給水源から水の供給を開始し、次に前記原液制御ユニットを制御して原液の供給を開始し、前記湿し水タンクに前記湿し水の供給を停止する場合に、まず前記原液制御ユニットを制御して原液の供給を停止し、次に前記水制御ユニットを制御して水の供給を停止することを特徴とする湿し水供給装置。
【請求項２】
前記混合制御ユニットは前記水制御ユニットを通過する水の流量を測定する流量センサを備えており、前記流量センサの出力に基づいて前記原液制御ユニットの流量を制御することにより、水の供給を開始する第１の時刻及び水の供給を停止する第２の時刻の間に原液の供給を開始する第３の時刻及び原液の供給を停止する第４の時刻が含まれることを特徴とする請求項１に記載の湿し水供給装置。
【請求項３】
前記給水源は前記混合ユニットに供給する水の量を、単位時間あたりの水量で制御する水量調整機能を備えており、水の供給を開始する第１の時刻及び水の供給を停止する第２の時刻の間に原液の供給を開始する第３の時刻及び原液の供給を停止する第４の時刻が含まれることを特徴とする請求項１に記載の湿し水供給装置。
【請求項４】
前記水制御ユニットは、水の通過を開閉する電磁バルブである請求項１に記載の湿し水供給装置。
【請求項５】
前記原液制御ユニットは、通過する原液の流量を制御可能な電動ポンプである請求項１に記載の湿し水供給装置。
【請求項６】
オフセット印刷機に水と原液を所定の濃度となるように混合して調製した湿し水を供給するための湿し水供給装置において、
調製した湿し水を収容する湿し水タンクと、
水を供給する給水源と、
原液を供給する給液源と、
前記給水源から供給される水を通過させ、その通過量を制御する水制御ユニットと、
前記給液源から供給される原液を通過させ、その通過量を制御する原液制御ユニットと、
前記水制御ユニットから供給される水及び前記原液制御ユニットから供給される原液を混合して前記湿し水タンクへ供給する混合ユニットと、
前記水制御ユニット及び前記原液制御ユニットを制御する混合制御ユニットと、
前記湿し水タンクの湿し水の量を測定する水位センサと、
前記水位センサの出力に基づいて、前記混合制御ユニットを制御して、前記湿し水タンク内の湿し水の量を制御する水位制御ユニットと、
を備え、
前記水制御ユニットを通過する水の単位時間の通過量及び前記原液制御ユニットを通過する原液の単位時間の通過量の比が湿し水の所定の混合比となっており、
前記混合制御ユニットは、前記湿し水タンクに前記湿し水を供給を開始する場合に、まず前記水制御ユニットを制御して給水源から水の供給を開始し、次に前記原液制御ユニットを制御して原液の供給を開始し、前記湿し水タンクに前記湿し水の供給を停止する場合に、まず前記原液制御ユニットを制御して原液の供給を停止し、次に前記水制御ユニットを制御して水の供給を停止することを特徴とする湿し水供給装置。
【手続補正２】
【補正対象書類名】明細書
【補正対象項目名】０００９
【補正方法】変更
【補正の内容】
【０００９】
上記の目的を達成するため、請求項１の発明は、オフセット印刷機に水と原液を所定の濃度となるように混合して調製した湿し水を供給するための湿し水供給装置において、調製した湿し水を収容する湿し水タンクと、水を供給する給水源と、原液を供給する給液源と、前記給水源から供給される水の通過を開閉する水制御ユニットと、前記給液源から供給される原液の通過を開閉する原液制御ユニットと、前記水制御ユニットから供給される水及び前記原液制御ユニットから供給される原液を混合して前記湿し水タンクへ供給する混合ユニットと、前記水制御ユニット及び前記原液制御ユニットを制御する混合制御ユニットと、前記湿し水タンクの湿し水の量を測定する水位センサと、前記水位センサの出力に基づいて、前記混合制御ユニットを制御して、前記湿し水タンク内の湿し水の量を制御する水位制御ユニットと、を備え、
前記水制御ユニットを通過する水の単位時間の通過量及び前記原液制御ユニットを通過する原液の安易時間の通過量の比が湿し水の所定の混合比となっており、
前記混合制御ユニットは、前記湿し水タンクに前記湿し水を供給を開始する場合に、まず前記水制御ユニットを制御して給水源から水の供給を開始し、次に前記原液制御ユニットを制御して原液の供給を開始し、前記湿し水タンクに前記湿し水の供給を停止する場合に、まず前記原液制御ユニットを制御して原液の供給を停止し、次に前記水制御ユニットを制御して水の供給を停止することを特徴とする湿し水供給装置とした。
【手続補正３】
【補正対象書類名】明細書
【補正対象項目名】００１６
【補正方法】変更
【補正の内容】
【００１６】
また、本発明によれば、湿し水タンクに湿し水を供給を開始する場合に、まず給水源から水の供給を開始し、次に原液の供給を開始し、湿し水タンクに湿し水の供給を停止する場合に、まず原液の供給を停止し、次に水の供給を停止するため、湿し水の急激な濃度変化が起きないようにすることができる。
【国際調査報告】
2010021303.tif 000006
2010021303.tif 000007